(57)【要約】【課題】  固定したホールＩＣに対して棒状永久磁石を移動（変位）させた場合に、その移動に比例した出力電圧が、ホールＩＣから得られるようにした直線変位センサーを提供することを課題とするものである。【解決手段】  固定部材１に固定したホールＩＣ２を、非接触状態で跨ぐように対向させた棒状永久磁石３，３′を可動部材４に保持して形成され、この棒状永久磁石３，３′を左右に移動させたときに、前記ホールＩＣ２から直線状に変化する出力電圧が得られるように、前記棒状永久磁石３，３′の互いに対向する少なくとも一方の長手方向面３ａ，３ａ′に、両端部から中間部５ａに行くに従って幅を狭くした長方形状の強磁性体板５を添着したことを特徴とする直線変位センサーとしたものである。【選択図】      図１
2006300631.tif 000002
【特許請求の範囲】
【請求項１】
固定部材（１）に固定したホールＩＣ（２）を、非接触状態で跨ぐように対向させた棒状永久磁石（３），（３′）を可動部材（４）に保持して形成され、この棒状永久磁石（３），（３′）を左右に移動させたときに、前記ホールＩＣ（２）から直線状に変化する出力電圧が得られるように、前記棒状永久磁石（３），（３′）の互いに対向する少なくとも一方の長手方向面（３ａ），（３ａ′）に、両端部から中間部（５ａ）に行くに従って幅を狭くした長方形状の強磁性体板（５）を添着したことを特徴とする直線変位センサー（Ｓ）。
【請求項２】
固定部材（１）に固定したホールＩＣ（２）に、非接触状態で対向させた棒状永久磁石（３）を可動部材（４）に保持して形成され、この棒状永久磁石（３）を左右に移動させたときに、前記ホールＩＣ（２）から直線状に変化する出力電圧が得られるように、前記棒状永久磁石（３）の長手方向面（３ａ）に、両端部から中間部（５ａ）に行くに従って幅を狭くした長方形状の強磁性体板（５）を添着したことを特徴とする直線変位センサー（Ｓ）。
【請求項３】
固定部材（１）に固定したホールＩＣ（２）を、非接触状態で跨ぐように対向させた棒状永久磁石（３）と強磁性体棒（６）を可動部材（４）に保持して形成され、前記棒状永久磁石（３）と強磁性体棒（６）を左右に移動させたときに、前記ホールＩＣ（２）から直線状に変化する出力電圧が得られるように、前記棒状永久磁石（３）の長手方向面（３ａ）に、両端部から中間部（５ａ）に行くに従って幅を狭くした長方形状の強磁性体板（５）を添着したことを特徴とする直線変位センサー（Ｓ）。
【発明の詳細な説明】
【技術分野】
【０００１】
本発明は、被検出物の移動によって棒状永久磁石が押動されると、被検出物に追随して変位した棒状永久磁石からの磁界の変化をホールＩＣが受けて、このホールＩＣから前記棒状永久磁石、すなわち、被検出物の変位に応じた変位信号が得られるようにした直線変位センサーに関する。
【背景技術】
【０００２】
図７は、従来の直線変位センサーにおいて、固定状態のホールＩＣに対して、所定間隔を置いて棒状永久磁石を移動させた場合の前記ホールＩＣから得られる出力電圧の変化を示すグラフである。
また、図８は、従来の直線変位センサーにおいて、前記棒状永久磁石の長手方向面に沿って強磁性体板（ヨーク）を添着した場合の前記ホールＩＣから得られる出力電圧の変化を示すグラフである。
【０００３】
磁力線を均一化する装置として、ほぼ一直線上を移動する被検出バイアス磁界手段から生じるバイアス磁界の磁力を受け、その直線移動量を測定した検出出力を生成するために、前記ほぼ一直線と離間距離をもつように配置・固定した磁力測定検出手段を有する磁力線を均一化する装置であって、前記被検出バイアス磁界手段は、前記ほぼ一直線上において所定の直線距離をもつように両端に異なる磁極がそれぞれ配置され、前記両端のそれぞれの磁極で最大となり、ほぼ同等の磁力をそれぞれ供給するための一対の磁力線供給手段と、この一対の磁力線供給手段を連結し前記所定の直線距離より大きく延びるように湾曲部をもち、前記バイアス磁界の強度分布のうち、均一な直線部分からなる平均領域を制御するための磁力制御手段と、を備えることを特徴とする磁力線を均一化する装置が知られている（特許文献１）。
【０００４】
また、直線変位センサーとして、直線的に移動する被検出物における直線変位量を検出するセンサーであって、前記被検出物の変位に応じて揺動する揺動部材を備え、前記被検出物の移動方向に沿った軸まわりに前記被検出物が回動自在となるようにして、前記被検出物に対して前記揺動部材が取り付けられるとともに、前記揺動部材における揺動軸の揺動角度を検出する回転センサーを備え、前記回転センサーによって検出された前記揺動部材における揺動軸の揺動角度に基づいて、前記被検出物の直線変位量を求めることを特徴とする直線変位センサーが知られている（特許文献２）。
【特許文献１】特開２００４−１２５５５７号公報（特許請求の範囲、図１参照）
【特許文献２】特開２００１−２１３３９号公報（特許請求の範囲、図１参照）
【発明の開示】
【発明が解決しようとする課題】
【０００５】
前記図７に示すような場合は、前記ホールＩＣに棒状永久磁石の中間部が対向した状態から、この棒状永久磁石を左右に移動させた場合に、ホールＩＣから得られる出力電圧の変化はほとんど無かった。したがって、この場合の棒状永久磁石の変位を、ホールＩＣの出力電圧の変化に換算して求めることは不可能である。
また、前記図８に示すような場合は、前記ホールＩＣに棒状永久磁石の中間部が対向した状態から、この棒状永久磁石を左右に移動させた場合に、ホールＩＣから得られる出力電圧の変化は少ない。したがって、この場合の棒状永久磁石の変位を、ホールＩＣの出力電圧の変化に換算して求める場合に、その出力電圧の変化が少なく、その変位の測定が困難かつ不正確になる、といった問題がある。
【０００６】
また、特許文献１および特許文献２に記載された発明においては、その構成が比較的に複雑であり、製造コストも高くなる、といった問題があった。
そこで、棒状永久磁石の長手方向面に、両端部から中間部に行くに従って、幅を狭くした長方形状の強磁性体板（ヨーク）を添着する、といったきわめて簡単な手段によって、ホールＩＣに対して、棒状永久磁石を移動（変位）させると、その移動量にほぼ比例して変化する電圧が、ホールＩＣから得られることが実験によって確認することができた。
【０００７】
そこで、本発明は、前記のように、両端部から中間部に行くに従って幅を狭くした長方形状の強磁性体板（ヨーク）を長手方向面に添着した棒状永久磁石を用いた直線変位計を提供することを課題とするものである。
【課題を解決するための手段】
【０００８】
前記課題を解決するための手段として、請求項１に係る発明は、固定部材（１）に固定したホールＩＣ（２）を、非接触状態で跨ぐように対向させた棒状永久磁石（３），（３′）を可動部材（４）に保持して形成され、この棒状永久磁石（３），（３′）を左右に移動させたときに、前記ホールＩＣ（２）から直線状に変化する出力電圧が得られるように、前記棒状永久磁石（３），（３′）の互いに対向する少なくとも一方の長手方向面（３ａ），（３ａ′）に、両端部から中間部（５ａ）に行くに従って幅を狭くした長方形状の強磁性体板（５）を添着したことを特徴とする直線変位センサー（Ｓ）としたものである。
【０００９】
また、請求項２に係る発明は、固定部材（１）に固定したホールＩＣ（２）に、非接触状態で対向させた棒状永久磁石（３）を可動部材（４）に保持して形成され、この棒状永久磁石（３）を左右に移動させたときに、前記ホールＩＣ（２）から直線状に変化する出力電圧が得られるように、前記棒状永久磁石（３）の長手方向面（３ａ）に、両端部から中間部（５ａ）に行くに従って幅を狭くした長方形状の強磁性体板（５）を添着したことを特徴とする直線変位センサー（Ｓ）としたものである。
【００１０】
また、請求項３に係る発明は、固定部材（１）に固定したホールＩＣ（２）を、非接触状態で跨ぐように対向させた棒状永久磁石（３）と強磁性体棒（６）を可動部材（４）に保持して形成され、前記棒状永久磁石（３）と強磁性体棒（６）を左右に移動させたときに、前記ホールＩＣ（２）から直線状に変化する出力電圧が得られるように、前記棒状永久磁石（３）の長手方向面（３ａ）に、両端部から中間部（５ａ）に行くに従って幅を狭くした長方形状の強磁性体板（５）を添着したことを特徴とする直線変位センサー（Ｓ）としたものである。
【発明の効果】
【００１１】
請求項１〜請求項３に係る発明によれば、棒状永久磁石の長手方向面に、両端部から中間部に行くに従って幅を狭くした長方形状の強磁性体板を添着する、といったきわめて簡単な手段によって、ホールＩＣに対して、棒状永久磁石を移動（変位）させると、その移動量にほぼ比例して変化する電圧が、ホールＩＣから得られる直線変位計を提供することができる。
【発明を実施するための最良の形態】
【００１２】
図１は本発明の直線変位センサーの一部の破断した断面図である。図１に示すように、例えば、合成樹脂製の筒状の固定部材１にホールＩＣ２が固定されており、このホールＩＣ２を非接触状態で跨ぐように対向させた棒状永久磁石３，３′が、例えば、合成樹脂製の可動部材４に埋設されて保持されている。前記可動部材４は、筒状の固定部材１に設けたレール７，７′(図２参照)に案内されて、摺動されるようになっている。前記棒状永久磁石３は、図において左端がＳ磁極に着磁され、右端がＮ磁極に着磁されている。一方、棒状永久磁石３′は、図において左端がＮ磁極に着磁され、図において右端がＳ磁極に着磁されている。
【００１３】
本発明は、図１および図２に示すように、前記ホールＩＣ２を非接触状態で跨ぐように、対向させた棒状永久磁石３，３′の少なくとも一方の長手方向面３ａ，３ａ′に、図３に示すように、両端部から中間部５ａに行くに従って幅を狭くした長方形状の強磁性体板５を添着したことを特徴とするものである。なお、図３には、他方の強磁性体板５′は図示していないが、同様な形状である。
【００１４】
図３の（ａ）に示すように、前記長方形状の強磁性体板５の一実施例は、両端の幅が５mm、長さが３５mm、厚みが０．５mmで、中間部５ａの８mmの範囲の幅が３．５mmとなるように、両端部から中間部５ａに行くに従って幅を狭くして形成されている。
【００１５】
図３の（ｂ）に示す前記棒状永久磁石３は、幅が５mm、長さが３５mm、厚みが２mmである。
【００１６】
図３の（ｃ）は、前記棒状永久磁石３に前記長方形状の強磁性体板５を添着する場合の一実施例を示す図である。
【００１７】
図２の（ａ）は前記固定状態のホールＩＣ２と前記棒状永久磁石３，３′が保持された可動部材４を示す斜視図であり、この可動部材４は、前記筒状の固定部材１に設けたレール７，７′に案内されて移動自在である。また、この可動部材４は、その一端部４ａが被移動検出物（図示しない）に連結される。
【００１８】
図２の（ｂ）は（ａ）図のＡ―Ａ線における断面図であり、（ｃ）図は（ａ）図のＢ―Ｂ線における断面図である。
【００１９】
図４の（ａ）は、本発明の直線変位センサーの特性を示すグラフであり、（ｂ）図は本発明の直線変位センサーの一端部を示す図である。図４に示すように、前記棒状永久磁石３，３′の少なくとも一方の長手方向面３ａ，３ａ′に、両端部から中間部５ａに行くに従って幅を狭くした長方形状の強磁性体板５を添着したものを使用することによって、この棒状永久磁石を移動（変位）させることにより、ホールＩＣ２から得られる出力電圧の変化は、棒状永久磁石の移動にほぼ比例して直線状に変化する。したがって、棒状永久磁石の移動をホールＩＣ２の出力電圧に変換して計測することができる。
【００２０】
なお、図１に示す、取付フランジ８はボルトなどを挿通する孔を有し、ボックス９には前記ホールＩＣ２の取付基板１０を備えており、この取付基板１０にはホールＩＣ２の出力電圧の取り出しリード線１１が接続されている。
【００２１】
以上の請求項１に係る発明の実施の形態は、ホールＩＣ２を非接触状態で跨ぐように対向させた棒状永久磁石３，３′を使用した場合について説明したが、この発明は、これに限定されるものではない。
【００２２】
すなわち、請求項２に係る直線変位センサーの実施の形態を示す図５のように、固定部材１に固定したホールＩＣ２に、非接触状態で対向させた棒状永久磁石３を可動部材４に保持して形成され、この棒状永久磁石３を左右に移動させたときに、前記ホールＩＣ２から直線状に変化する出力電圧が得られるように、前記棒状永久磁石３の長手方向面３ａに、両端部から中間部５ａに行くに従って幅を狭くした長方形状の強磁性体板５を添着してもよい。
【００２３】
また、請求項３に係る発明の実施の形態を示す図６のように、固定部材１に固定したホールＩＣ２を、非接触状態で跨ぐように対向させた棒状永久磁石３と強磁性体棒６を可動部材４に保持して形成され、前記棒状永久磁石３と強磁性体棒６を左右に移動させたときに、前記ホールＩＣ２から直線状に変化する出力電圧が得られるように、前記棒状永久磁石３の長手方向面３ａに、両端部から中間部５ａに行くに従って幅を狭くした長方形状の強磁性体板５を添着してもよい。
【図面の簡単な説明】
【００２４】
【図１】本発明の直線変位センサーの第１の実施の形態を示す一部の横断面図である。
【図２】（ａ）は本発明の直線変位センサーの固定状態のホールＩＣと棒状永久磁石が保持された可動部材を示す斜視図であり、（ｂ）は（ａ）図のＡ―Ａ線における断面図であり、（ｃ）図は（ａ）図のＢ―Ｂ線における断面図である。
【図３】（ａ）は長方形状の強磁性体板の形状の一実施例を示す平面図であり、（ｂ）は棒状永久磁石の一実施例を示す平面図であり、（ｃ）は棒状永久磁石に前記長方形状の強磁性体板を添着する場合の一実施例を示す図である。
【図４】（ａ）は本発明の直線変位センサーの特性を示すグラフであり、（ｂ）図は本発明の直線変位センサーの一端部を示す図である。
【図５】本発明の直線変位センサーの第２の実施の形態を示す図である。
【図６】本発明の直線変位センサーの第３の実施の形態を示す図である。
【図７】棒状永久磁石の長手方向面に沿って強磁性体板を添着していない場合の前記ホールＩＣから得られる出力電圧の変化を示すグラフである。
【図８】従来の直線変位センサーにおいて、棒状永久磁石の長手方向面に沿って強磁性体板を添着した場合の前記ホールＩＣから得られる出力電圧の変化を示すグラフである。
【符号の説明】
【００２５】
１      固定部材
２      ホールＩＣ
３      棒状永久磁石
３′    棒状永久磁石
３ａ    長手方向面
３ａ′  長手方向面
４      可動部材
５      強磁性体板
５ａ    中間部
６      強磁性体棒
７      レール
７′    レール
８      取付フランジ
９      ボックス
１０    取付基板
１１    リード線
【図１】
2006300631.tif 000003
【図２】
2006300631.tif 000004
【図３】
2006300631.tif 000005
【図４】
2006300631.tif 000006
【図５】
2006300631.tif 000007
【図６】
2006300631.tif 000008
【図７】
2006300631.tif 000009
【図８】
2006300631.tif 000010